(57)【特許請求の範囲】
【請求項１】
キャップ本体の上端部に頭冠を取り付けた筆記具のキャップであって、前記頭冠が、キャップ本体の上端部より露出する基部と、該基部から下方に一体に延設された一対の挿入片とを備え、前記挿入片の相互間に軸方向のスリットを設けると共に前記挿入片の各々の外面に係止突起を設け、一方、前記キャップ本体の上端部に突出部と該突出部を包囲する円筒部とを一体に突設し、前記円筒部内面に一対の係止孔を設けると共に前記突出部外面に一対のガイド凸部を設け、前記突出部と前記円筒部の間の環状隙間に前記頭冠の挿入片を挿入した際、前記係止突起を前記係止孔に係合させると共に前記ガイド凸部を前記スリット内に圧入させてなることを特徴とする筆記具のキャップ。
【請求項２】
前記係止孔を径方向に貫設し、前記係止孔から頭冠の挿入片を外部より視認可能に構成した請求項１記載の筆記具のキャップ。
【請求項３】
前記頭冠の基部よりクリップを一体に設けた請求項１又は２記載の筆記具のキャップ。
【発明の詳細な説明】
【０００１】
【発明の属する技術分野】
本発明は、筆記具のキャップに関する。詳細には、キャップ本体の上端部に頭冠を取り付けた筆記具のキャップに関する。尚、本発明で「上」とはキャップの閉塞側を指し、「下」とはキャップの開口側を指す。
【０００２】
【従来の技術】
従来、この種の取付構造に関して、例えば、実公平５−２１４３５号公報には、「樹脂成形品の筆記具軸に２重壁部を設け該２重壁部における内壁の円周上の所要位置に軸方向に対して垂直方向の孔を設け、又、リング等部品の本体の円周上の所要位置に肉厚部を内面部に有する軸方向の突出片を設け、リング等部品をその突出片を筆記具軸の内壁と外壁の間の隙間に圧入すると共に突出片の内面肉厚部を内壁の孔に落とし込むことにより固定することを特徴とする筆記具軸におけるリング等部品の取付構造。」が開示されている。
【０００３】
しかし、前記取付構造は、リング等部品（本発明の頭冠に相当）の突出片（本発明の挿入片に相当）を、筆記具軸の２重壁部の円周状の隙間に圧入する際、肉厚部を有する突出片と、筆記具軸の孔（本発明の係止孔に相当）との周方向の位置合わせが困難であるため、円滑な取付作業が阻害される。その上、前記取付構造は、２重壁部の円周状の隙間に、突出片を圧入する構造のため、取付時の大きな押し込み力が必要であり、それにより、突出片を折損させるおそれがある。
【０００４】
【発明が解決しようとする課題】
本発明は前記従来の問題点を解決するものであって、頭冠をキャップ本体に、小さい押し込み力で、円滑かつ確実に取り付けることが可能な筆記具のキャップを提供しようとするものである。
【０００５】
【課題を解決するための手段】
〔１〕本発明は、キャップ本体２の上端部に頭冠５を取り付けた筆記具のキャップ１であって、前記頭冠５が、キャップ本体２の上端部より露出する基部６と、該基部６から下方に一体に延設された一対の挿入片７とを備え、前記挿入片７の相互間に軸方向のスリット７２を設けると共に前記挿入片７の各々の外面に係止突起７１を設け、一方、前記キャップ本体２の上端部に突出部３と該突出部３を包囲する円筒部４とを一体に突設し、前記円筒部４内面に一対の係止孔４１を設けると共に前記突出部３外面に一対のガイド凸部３１を設け、前記突出部３と前記円筒部４の間の環状隙間２１に前記頭冠５の挿入片７を挿入した際、前記係止突起７１を前記係止孔４１に係合させると共に前記ガイド凸部３１を前記スリット７２内に圧入させてなること（請求項１）を要件とする。
【０００６】
（作用）
頭冠５の挿入片７を、キャップ本体２の上端部の前記環状隙間２１に挿入すると、まず、ガイド凸部３１がスリット７２内に挿入されることにより、係止突起７１と係止孔４１との周方向の位置合わせが容易になされる。そして、小さい押し込み力により挿入片７を折損させることなく、前記係止突起７１が前記係止孔４１に確実に落ち込み係合される。それと同時に、前記ガイド凸部３１が前記スリット７２内に圧入されることにより、前記挿入片７が径方向外方へ押し広げられ、前記係止突起７１と前記係止孔４１との、容易には離脱しない強固な係合が得られる（図４、図５参照）。
【０００７】
〔２〕前記請求項１の筆記具のキャップ１において、前記係止孔４１を径方向に貫設し、前記係止孔４１から頭冠５の挿入片７を外部より視認可能に構成したこと（請求項２）が好ましい。それにより、キャップ本体２の上部外周面に係止孔４１を通して挿入片７がアクセントとして視覚される。即ち、係止孔４１が係合機能のみならず、デザイン機能も兼ね備えることができる。
【０００８】
〔３〕前記請求項１又は２の筆記具のキャップ１において、前記頭冠５の基部６よりクリップ８を一体に設けたこと（請求項３）が好ましい。それにより、頭冠５がキャップ本体２と強固に固定されることと相まって、キャップ本体２から離脱することがない安定したクリップ８が得られる。
【０００９】
【発明の実施の形態】
本発明の実施の形態について図面に従って説明する。
【００１０】
図１乃至図６に本発明の一実施例を示す。
【００１１】
キャップ１は、キャップ本体２と、該キャップ本体２の上端部に取り付けられる頭冠５とからなる。
【００１２】
キャップ本体２は、合成樹脂（例えばポリプロピレン樹脂）の射出成形から得られ、上端部が閉塞され且つ下端部が開口された円筒体である。前記キャップ本体２の上端部には、中央の円筒状の突出部３と、該突出部３を包囲する円筒部４とが上方へ一体に突設されている。前記突出部３と前記円筒部４の間には環状隙間２１が形成されている。前記環状突起２１は、頭冠５の挿入片７の肉厚よりも大きい間隙幅を有し、挿入片７の容易な挿入を可能にする。
【００１３】
前記突出部３の外面には、軸方向に延びるリブよりなる２個のガイド凸部３１が、互いに周方向に１８０度離れた位置に一体に設けられる（図１、図３参照）。また、前記ガイド凸部３１の上端部には、傾斜面状の案内面が設けられる。
【００１４】
また、前記円筒部４には、内面から外面へ貫通する２個の係止孔４１が、互いに周方向に１８０度離れた位置に設けられる（図１、図３参照）。前記係止孔４１の形状は、ここでは周方向に延びる長孔状である（図６参照）。
【００１５】
さらに、前記ガイド凸部３１は、前記係止孔４１に対して周方向に９０度離れた位置に設けられる（図３参照）。また、前記ガイド凸部３１の上端部は、係止孔４１と軸方向の同じ位置または係止孔４１より軸方向に上方に位置され（図４参照）、それにより、ガイド凸部３１をスリット７２に圧入させた際、挿入片７の係止突起７１を有する部分が確実に径方向に押し広げられる（図５参照）。
【００１６】
頭冠５は、合成樹脂（例えばＡＢＳ樹脂）の射出成形により得られ、キャップ本体２の上端部より露出する基部６と、該基部６からキャップ本体２外部の下方に一体に連設されたクリップ８と、該基部６からキャップ本体２内部の下方に一体に連設された挿入片７とからなる。尚、前記クリップ８とは、ポケットや手帳等に留める一般的なものをいう。
【００１７】
前記挿入片７は、基部６の下端部より下方に延設した円筒壁部を、軸方向のスリット７２により二分割したものであり、径方向の可撓性を備える（図４参照）。前記挿入片７のそれぞれの外周面には、前記係止孔４１に対応した形状（ここでは長孔形状に対応したリブ）の係止突起７１が一体に設けられる（図２、図３参照）。また、前記係止突起７１の下面には、傾斜面状の案内面が形成されている。
【００１８】
また、図４及び図５に示すように、前記スリット７２の開口側の幅寸法は、ガイド凸部３１の容易な挿入を可能にする目的で、ガイド凸部３１の幅寸法より大きく設定される。一方、前記スリット７２の閉塞側の幅寸法は、ガイド凸部３１が圧入して挿入片７を径方向外方へ確実に押し広げるよう、ガイド凸部３１の幅寸法より僅かに小さく設定されている。
【００１９】
本実施例において、前記頭冠５は、筆記具本体のインキと同色に着色され、一方、キャップ本体２は、筆記具本体のインキと異色に着色されている。そして、図６に示すように、前記係止孔４１を通して頭冠５の突出片が視認可能であるため、キャップ本体２の前部外側面に前記係止孔４１の形状（長孔形状）のインキ色を視覚できる。
【００２０】
尚、本発明で頭冠５は、キャップ本体２の上端部に固定される装飾部材であり、色表示、ペン先の種類、筆跡幅、インキの色、社名等の文字や図形等の表示機能を有するもの、あるいはクリップ機能を有するもの等をいう。また、前記頭冠５は、金属製でもよいが、安価に得られる点で合成樹脂製が好ましい。
【００２１】
尚、本発明の頭冠５の基部６は、キャップ本体２より露出して外部より視認可能であればよく、キャップ本体２より外部に突出していなくてもよい。
【００２２】
【発明の効果】
請求項１の構成により、頭冠をキャップ本体に、小さい押し込み力で、円滑かつ確実に取り付けることが可能となる。
【００２３】
請求項２の構成により、キャップ本体の上部外周面に係止孔より挿入片がアクセントとして視覚され、係止孔が係合機能のみならず、デザイン機能も兼ね備えることができる。
【００２４】
請求項３の構成により、キャップ本体から離脱することがない安定したクリップが得られる。
【図面の簡単な説明】
【図１】本発明の実施例を示す縦断面図である。
【図２】図１のＡ−Ａ線に沿う断面図である。
【図３】図２のＢ−Ｂ線に沿う断面図である。
【図４】頭冠の取付前の状態を説明する図である。
【図５】頭冠の取付後の状態を説明する図である。
【図６】図１の外観図である。
【符号の説明】
１  キャップ
２  キャップ本体
２１  環状隙間
３  突出部
３１  ガイド凸部
４  円筒部
４１  係止孔
５  頭冠
６  基部
７  挿入片
７１  係止突起
７２  スリット
８  クリップ
【図１】
0004132434.tif 000002
【図２】
0004132434.tif 000003
【図３】
0004132434.tif 000004
【図４】
0004132434.tif 000005
【図５】
0004132434.tif 000006
【図６】
0004132434.tif 000007